(57)【特許請求の範囲】
【請求項１】
複数個の硬質部（10）が軟質部（20）を介して折り畳み自在又は巻き込み自在に連結されてなる合成樹脂製蓋本体を備えるとともに、前記蓋本体（１）は撥水剤を含有している防汚性に優れた風呂蓋であって、
前記硬質部（10）において、前記撥水剤としてシリコーン樹脂が該硬質部（10）の構成材料中に０．１〜１．０質量％練り込まれるとともに、
前記軟質部（20）において、前記撥水剤としてシリコーン樹脂が該軟質部（20）の構成材料中に０．１〜２．０質量％練り込まれ、
且つ、前記シリコーン樹脂は前記硬質部（10）よりも前記軟質部（20）の方により多く練り込まれていることを特徴とする防汚性に優れた風呂蓋。
【請求項２】
下面の両端部に滑り止め部材（35）が設けられている請求項１記載の防汚性に優れた風呂蓋。
【請求項３】
前記硬質部（10）の端部に装着されたキャップ（30）の下面に、滑り止め部材（35）が設けられている請求項１記載の防汚性に優れた風呂蓋。
【請求項４】
前記硬質部（10）の端部に装着されたキャップ（30）の構成材料中に撥水剤としてシリコーン樹脂が練り込まれている請求項１〜３のいずれか１項記載の防汚性に優れた風呂蓋。
【発明の詳細な説明】
【０００１】
【発明の属する技術分野】
この発明は、防汚性に優れた風呂蓋に関する。
【０００２】
【従来の技術】
風呂蓋として、例えば、蛇腹状に折り畳まれるいわゆる蛇腹式風呂蓋や、端部から巻き込むようにして丸められるいわゆるシャッター式風呂蓋が知られている。この種の風呂蓋は、不本意に浴槽上から浴槽内へ滑り落ちることによる不慮の事故を防止するために、ＪＩＳ  Ａ  ５７０８で定められた所定のすべり抵抗値を満たすことが要求されている。
【０００３】
【発明が解決しようとする課題】
ところで、一般に風呂蓋は、これを浴槽に被せると略水平姿勢になるため、その下面に水滴が付着したり上面上に水が溜まり易い。このため、風呂蓋を長期に亘って使用すると、下面に付着する水滴や上面上に溜まる水によって水垢が発生したり、更にはカビが繁殖したりして、風呂蓋の外表面に汚れが付着するという難点があった。
【０００４】
この発明は、上述した難点を解消するためになされたもので、その目的は、外表面に水垢やカビ等による汚れを付着し難くし得て、外表面が綺麗な状態のままで長期に亘って使用することのできる防汚性に優れた風呂蓋を提供することにある。
【０００５】
【課題を解決するための手段】
上記目的を達成するため、この発明に係る防汚性に優れた風呂蓋は、合成樹脂製蓋本体を備えるとともに、前記蓋本体は撥水剤を含有していることを特徴とする。
【０００６】
この風呂蓋では、撥水剤の撥水作用により、蓋本体の下面に付着した水滴や上面上に溜まった水がはじかれるようになる。このため、蓋本体の外表面に水垢が発生し難くなるし、カビも繁殖し難くなり、もって外表面が綺麗な状態に長期に亘って維持されるようになる。
【０００７】
なお、この発明において、撥水剤としては、例えば、後述するシリコーン樹脂をはじめフッ素樹脂やアセタール樹脂等、撥水作用を奏する様々な合成樹脂が好適に用いられる。特にシリコーン樹脂を用いるのが望ましい。
【０００８】
上記風呂蓋において、前記撥水剤は前記蓋本体の構成材料中に練り込まれていることが、望ましい。
【０００９】
この場合には、蓋本体は例えば押出成形により他の工程を付加することなく簡単に製造することが可能であり、もって風呂蓋を能率的に且つコスト的に有利に製作提供することができるようになる。また、もし仮に風呂蓋の繰返し使用により該風呂蓋の蓋本体の外表面にすり傷が付いたり外表面が摩耗した場合であっても、撥水作用が損なわれることはないので、撥水作用を長期に亘って維持し得るようになる。
【００１０】
上記風呂蓋において、前記蓋本体は、複数個の硬質部が軟質部を介して折り畳み自在又は巻き込み自在に連結されてなり、且つ、前記硬質部において、前記撥水剤としてシリコーン樹脂が該硬質部の構成材料中に０．１〜１．０質量％練り込まれるとともに、前記軟質部において、前記撥水剤としてシリコーン樹脂が該軟質部の構成材料中に０．１〜２．０質量％練り込まれていることが、望ましい。
【００１１】
この理由は次のとおりである。すなわち、シリコーン樹脂の硬質部構成材料中への含有率が０．１質量％未満の場合、及びシリコーン樹脂の軟質部構成材料中への含有率が０．１質量％未満の場合には、撥水作用が不十分なものとなり、このため、水垢の発生やカビの繁殖を抑制することが困難になる。一方、シリコーン樹脂の硬質部構成材料中への含有率１．０質量％を超えた場合、及びシリコーン樹脂の軟質部構成材料中への含有率２．０質量％を超えた場合には、撥水作用が飽和してしまってかかる値を超えてシリコーン樹脂を含有させることは無意味になるし、シリコーン樹脂の購入コストが高く付いてしまって風呂蓋の製造コストがアップするという問題が生じる。したがって、シリコーン樹脂は、硬質部の構成材料中に０．１〜１．０質量％練り込まれるとともに、軟質部の構成材料中に０．１〜２．０質量％練り込まれていることが、望ましい。
【００１２】
さらに、この種の風呂蓋では、水垢やカビによる汚れは、硬質部及び軟質部のうち特に軟質部に付き易く、しかも軟質部に汚れが付いてしまうとその汚れが落ち難いことが、本発明者の調査により判明した。したがって、撥水剤としてのシリコーン樹脂は、硬質部よりも軟質部の方により多く含有させることが、特に望ましい。
【００１３】
ここで、シリコーン樹脂は、硬質部の構成材料中に０．１〜０．７質量％練り込まれていることが特に望ましく、更には０．２〜０．５質量％練り込まれていることが最も望ましい。一方、シリコーン樹脂は、軟質部の構成材料中に０．３〜１．２質量％練り込まれていることが特に望ましく、更には０．５〜１．０質量％練り込まれていることが最も望ましい。
【００１４】
上記風呂蓋において、前記撥水剤は蓋本体の外表面に塗布されていても良い。
【００１５】
この場合には、例えば、撥水剤を含んだ液を蓋本体の外表面にハケ塗りしたりスプレー塗りしたり、あるいは撥水剤を含んだ液中に蓋本体をディッピングしたりすることにより、所望する蓋本体が容易に得られるようになる。
【００１６】
上記風呂蓋において、下面の両端部に滑り止め部材が設けられていることが、望ましい。
【００１７】
この理由は次のとおりである。すなわち、風呂蓋にシリコーン樹脂等の撥水剤を含有させると、該風呂蓋は滑り易くなってしまい、この結果、ＪＩＳ  Ａ  ５７０８で定められた所定のすべり抵抗値を満たせなくなるという問題が生じることが、本発明者の調査により判明した。
【００１８】
そこで、かかる問題を解決するため、この発明では、下面の両端部に滑り止め部材を設けた。このように構成された風呂蓋によれば、該風呂蓋を浴槽に被せると、滑り止め部材が浴槽の上縁に当接するようになり、この結果、ＪＩＳ  Ａ  ５７０８で定められた所定のすべり抵抗値を満たし得るようになる。このため、風呂蓋の不本意な滑りを確実に防止することができるようになり、もって風呂蓋の安全性を高くすることができる。
【００１９】
上記風呂蓋において、前記硬質部の端部に装着されたキャップの下面に、滑り止め部材が設けられていることが、望ましい。
【００２０】
この場合には、この風呂蓋を浴槽に被せると、上記と同じく、滑り止め部材が浴槽の上縁に当接するようになり、この結果、ＪＩＳ  Ａ  ５７０８で定められた所定のすべり抵抗値を満たし得るようになる。その上、キャップの硬質部端部への装着作業により、滑り止め部材が取り付けられるようになるため、滑り止め部材の取付け作業を別途行う必要がなくなり、風呂蓋が能率良く製作されるようになる。
【００２１】
なお、この発明では、硬質部の構成材料として、硬質ポリプロピレン樹脂をはじめ、ＡＢＳ樹脂、ＰＳ樹脂、ＰＶＣ樹脂等の硬質合成樹脂が好適に用いられる。また、軟質部の構成材料として、軟質ポリプロピレン樹脂をはじめ、ＰＥ樹脂、ＰＳ樹脂、ＰＶＣ樹脂等の軟質合成樹脂が好適に用いられる。
【００２２】
【発明の実施の形態】
次に、この発明に係る風呂蓋の実施形態を図面に基づいて説明する。
【００２３】
図１〜図４は、第１実施形態の風呂蓋（A1）を示している。この風呂蓋（A1）は、図２に示すように、ポリプロピレン製の蓋本体（１）を備えている。この蓋本体（１）は、並列状に配置された多数個の中空棒状体からなる硬質部（10）…が、互いに隣接する２個の硬質部（10）（10）間に配置された幅狭帯板状の軟質部（20）を介して蛇腹状に折り畳み自在に連結されてなるものである。軟質部（20）の厚さ寸法は、硬質部（10）の厚さ寸法よりも小に設定されており、折り畳み時に蓋本体（１）がこの軟質部（20）にて折れ曲がり得るものとなされている。
【００２４】
この蓋本体（１）において、各硬質部（10）は、その構成材料として硬質ポリプロピレン樹脂中に撥水剤として所定量のシリコーン樹脂を添加して均一に練り込み、これを押出成形することにより、製造されたものであって、図１に示すように、その内部を幅方向に等間隔に仕切る複数個の補強用隔壁（13）が一体成形されている。各硬質部（10）は、互いに略並行に配置された上面板部（11）及び下面板部（12）と、長さ方向に延びた中空部（14）とを有している。
【００２５】
この硬質部（10）の一側縁部下面には、図１に示すように、前記軟質部（20）の一側縁部が係合される係合用溝部（15）が該硬質部（10）の長さ方向に沿って設けられている。一方、この硬質部（10）の他側縁部上面には、前記軟質部（20）の他側縁部が係合される係合用溝部（15）が該硬質部（10）の長さ方向に沿って設けられている。
【００２６】
一方、各軟質部（20）は、その構成材料として軟質ポリプロピレン樹脂中に撥水剤として所定量のシリコーン樹脂を添加して均一に練り込み、これを押出成形することにより、製造されたものであって、前記硬質部（10）と同等の長さを有するとともに、その両側縁部に膨大部（20a）（20a）を一体に有するものである。
【００２７】
そして、互いに隣接する２個の硬質部（10）（10）間に軟質部（20）が配置されるとともに、一方の硬質部（10）の係合用溝部（15）内に軟質部（20）の一側縁部の膨出部（20a）が嵌合され、且つ他方の硬質部（10）の係合用溝部（15）内に軟質部（20）の他側縁部の膨大部（20a）が嵌合され、これにより、両硬質部（10）（10）同士が軟質部（20）を介して連結されている。
【００２８】
また、各硬質部（10）の両端部には、該硬質部（10）の端面開口を閉塞するためのキャップ（30）が嵌合状態に装着されている。このキャップ（30）は、その構成材料として硬質ポリプロピレン樹脂中に撥水剤として所定量のシリコーン樹脂を添加して均一に練り込み、これを射出成形することにより、製造されたものである。
【００２９】
このキャップ（30）は、硬質部（10）の端面開口を閉塞する閉塞板部（31）を有している。この閉塞板部（31）の内面には、図１及び図４に示すように、硬質部（10）の上面板部（11）の内面や下面板部（12）の内面に当接する複数個の嵌合用脚部（32）…が突出して一体に設けられている。さらに、このキャップ（30）の閉塞板部（31）の下縁部には、硬質部（10）の下面側に配置された延長舌片部（33）が一体に設けられている。この実施形態では延長舌片部（33）（33）は左右一対のものである。この両延長舌片部（33）（33）は、硬質部（10）の下面（即ち下面板部（12）の外面）に当接し、前記嵌合用脚部（32）と協働して下面板部（12）を挟着している。そして、この各延長舌片部（33）の下面に、軟質ポリプロピレン樹脂や熱可塑性エラストマー等からなるシート状滑り止め部材（35）が固着されている。この実施形態では、滑り止め部材（35）と延長舌片部（33）を含むキャップ（30）とがいわゆるダブルインジェクションにより二色成形されている。そして、このキャップ（30）が、接着ないし高周波による熱溶着によって硬質部（10）の端部に接合されている。なお、図中、（34）はキャップ（30）に穿設された水抜き孔である。
【００３０】
而して、この風呂蓋（A1）は、蓋本体（１）の硬質部（10）及び軟質部（20）の構成材料中に撥水剤としてシリコーン樹脂が練り込まれたものなので、次のような利点を有する。
【００３１】
すなわち、この風呂蓋（A1）によれば、該風呂蓋（A1）を浴槽（Ｂ）に被せると、シリコーン樹脂の有する撥水作用により、蓋本体（１）の下面に付着する水滴や上面上に溜まる水がはじかれるようになる。そして、該風呂蓋（A1）を浴槽（Ｂ）から取り外してこれを浴室内の壁に立て掛けると、蓋本体（１）の下面に付着した水滴や上面上に溜まった水が迅速に流れ落ちるようになる。したがって、この風呂蓋（A1）によれば、水垢の発生やカビの繁殖が抑制され、もってその外表面が綺麗な状態に長期に亘って維持されるようになる。
【００３２】
しかも、この第１実施形態では、キャップ（30）の構成材料中にも撥水剤としてシリコーン樹脂が練り込まれているので、キャップ（30）についてもその外表面を綺麗な状態に長期に亘って維持できるものとなっている。
【００３３】
更には、この風呂蓋（A1）は、シリコーン樹脂が硬質部（10）や軟質部（30）の構成材料中に練り込まれたものであるから、繰返し使用により該風呂蓋（A1）の蓋本体（１）の外表面にすり傷が付いたり外表面が摩耗した場合であっても、撥水作用が損なわれることはなく、したがって撥水作用を長期に亘って維持することができる。
【００３４】
加えて、この風呂蓋（A1）はその下面の両端部に滑り止め部材（30）が設けられているので、風呂蓋（A1）の不本意な滑りを防止することができる。しかも、この滑り止め部材（30）はキャップ（30）の延長舌片部（33）の下面に設けられているので、キャップ（30）の装着作業を行うことにより、滑り止め部材（35）を所定部位に配置することができる。このため、滑り止め部材（35）の取付け作業を別途、行う必要がない。しかも、滑り止め部材（35）とキャップ（30）とが二色成形されたものであるから、滑り止め部材（35）のキャップ（30）への取付け作業についてもこれを能率的に行うことができる。
【００３５】
この風呂蓋（A1）の蓋本体（１）の硬質部（10）において、シリコーン樹脂が該硬質部（10）の構成材料中に全質量に対して０．１〜１．０質量％練り込まれるとともに、軟質部（20）において、シリコーン樹脂が該軟質部（20）の構成材料中に全質量に対して０．１〜２．０質量％練り込まれていることが、望ましい。
【００３６】
この理由は次のとおりである。すなわち、シリコーン樹脂の硬質部（10）構成材料中への含有率が０．１質量％未満の場合、及びシリコーン樹脂の軟質部（20）構成材料中への含有率が０．１質量％未満の場合には、撥水作用が不十分なものとなり、このため、水垢の発生やカビの繁殖を抑制することが困難になる。一方、シリコーン樹脂の硬質部（10）構成材料中への含有率が１．０質量％を超えた場合、及びシリコーン樹脂の軟質部（20）構成材料中への含有率が２．０質量％を超えた場合には、撥水作用が飽和してしまい、かかる値を超えてシリコーン樹脂を含有させることは無意味になるし、シリコーン樹脂の購入コストが高く付いてしまって風呂蓋（A1）の製造コストがアップするという問題が生じる。したがって、シリコーン樹脂は、硬質部（10）の構成材料中に０．１〜１．０質量％練り込まれるとともに、軟質部（20）の構成材料中に０．１〜２．０質量％練り込まれていることが、望ましい。
【００３７】
この発明では、シリコーン樹脂は、硬質部（10）の構成材料中に全質量に対して０．１〜０．７質量％練り込まれていることが特に望ましく、０．２〜０．５質量％練り込まれていることが最も望ましい。一方、シリコーン樹脂は、軟質部（20）の構成材料中に全質量に対して０．３〜１．２質量％練り込まれていることが特に望ましく、０．５〜１．０質量％練り込まれていることが最も望ましい。一方、キャップ（30）において、シリコーン樹脂は、上記と同様の理由により、該キャップ（30）の構成材料中に全質量に対して０．１〜２．０質量％練り込まれていることが望ましく、０．３〜１．２質量％練り込まれていることが特に望ましく、０．５〜１．０質量％練り込まれていることが最も望ましい。
【００３８】
なお、シリコーン樹脂の添加は、該シリコーン樹脂を含有するマスターバッチを用いて行うことが望ましい。このマスターバッチとしては、例えば、カネボウクリーンベル「ＣＢ−１」や信越シリコンマスターペレット「Ｘ−２２−２１０１」が好適に用いられる。
【００３９】
図５は、第２実施形態の風呂蓋（A2）を示している。この風呂蓋（A2）において、蓋本体（１）の硬質部（10）の外表面には、撥水剤としてシリコーン樹脂を含有した皮膜（Ｓ）が全面に亘って形成されている。また、図示していないが、蓋本体（１）の軟質部（20）の外表面には、同じくシリコーン樹脂を含有した皮膜が形成されている。この皮膜（Ｓ）は、次のようにして形成されたものである。すなわち、蓋本体（１）の硬質部（10）や軟質部（20）の外表面にシリコーン樹脂を含んだ液をハケ塗りしたりスプレー塗りしたり、あるいは蓋本体（１）の硬質部（10）や軟質部（20）をシリコーン樹脂を含んだ液中にディッピングしたりする。その後、これを加熱乾燥させることにより、この皮膜（Ｓ）が形成されたものである。この風呂蓋（A2）の他の構成は、上記第１実施形態の風呂蓋（A1）と同じである。
【００４０】
以上で、この発明の実施形態を説明したが、この発明は上記実施形態に限定されるものではないことはもちろんである。
【００４１】
例えば、上記実施形態の風呂蓋（A1）（A2）は、複数個の硬質部（10）…が軟質部（20）を介して折り畳み自在に連結された蓋本体（１）を備えたものであるが、この発明に係る風呂蓋は、この他に、複数個の硬質部が軟質部を介して巻き込み自在に連結された蓋本体を備えたものであっても良い。
【００４２】
【実施例】
次に、この発明の具体的実施例について説明する。
【００４３】
上記第１実施形態の風呂蓋（A1）を次の条件で製作した。
【００４４】
＜実施例１＞
硬質部（10）の構成材料として硬質ポリプロピレン樹脂中に撥水剤として所定量のシリコーン樹脂を添加し混練機で均一に混合して練り込んだ。このとき、シリコーン樹脂の全質量に対する含有率が０．２質量％になるようにシリコーン樹脂の添加量を設定した。そして、この混合材料を用いて押出成形機により成形し、所望する硬質部（10）を得た。一方、軟質部（20）の構成材料として軟質ポリプロピレン樹脂中に撥水剤として所定量のシリコーン樹脂を添加し混練機で均一に混合して練り込んだ。このとき、シリコーン樹脂の全質量に対する含有率が０．５質量％になるようにシリコーン樹脂の添加量を設定した。そして、この混合材料を用いて押出成形機により成形し、所望する軟質部（20）を得た。次いで、硬質部（10）と軟質部（20）とを連結し、更に硬質部（10）の両端部に滑り止め部材（35）付きキャップ（30）を装着し、もって上記第１実施形態の風呂蓋（A1）を得た。
【００４５】
＜実施例２＞
硬質部（10）について、シリコーン樹脂の全質量に対する含有率が０．５質量％になるようにシリコーン樹脂の添加量を設定して、硬質部（10）を製造した。一方、軟質部（20）について、シリコーン樹脂の全質量に対する含有率が１．０質量％になるようにシリコーン樹脂の添加量を設定して、軟質部（20）を製造した。他の製造条件は上記実施例１と同じである。
【００４６】
＜比較例１＞
硬質部（10）について、硬質ポリプロピレン樹脂中にシリコーン樹脂を全く練り込まないで（即ち、シリコーン樹脂の含有率が０質量％で）、硬質部（10）を製造した。一方、軟質部（20）について、軟質ポリプロピレン樹脂中にシリコーン樹脂を全く練り込まないで（即ち、シリコーン樹脂の含有率が０質量％で）、軟質部（20）を製造した。他の製造条件は上記実施例１と同じである。
【００４７】
以上で製造された実施例１及び２並びに比較例１の風呂蓋を用い、実際に風呂蓋として使用して防汚性を調べた。その結果を表１に示す。
【００４８】
【表１】
0003683197.tif 000002
【００４９】
同表に示すように、比較例１の風呂蓋は、防汚性が悪く、水垢の発生やカビの繁殖による汚れが付着し易いものであることが分かった。これに対して、実施例１及び２の風呂蓋は、いずれも防汚性に優れていることが分かった。しかも、キャップの下面に滑り止め部材が設けられているため、滑り難くなっており、したがってＪＩＳ  Ａ  ５７０８で定められた所定のすべり抵抗値を満たし得ることを確認し得た。
【００５０】
【発明の効果】
上述の次第で、この発明に係る風呂蓋によれば、蓋本体は撥水剤を含有しているので、水垢の発生やカビの繁殖を抑制することができる。したがって、蓋本体の外表面を長期に亘って綺麗な状態に維持することができる。
【００５１】
また、撥水剤が蓋本体の構成材料中に練り込まれている場合には、もし仮に風呂蓋の繰返し使用により蓋本体の外表面にすり傷が付いたり外表面が摩耗した場合であっても、撥水作用が損なわれることはないので、撥水作用を長期に亘って維持することができて、風呂蓋の耐用寿命を長くすることができる。また、蓋本体を例えば押出成形により製造し得るようになるため、該蓋本体を能率的に且つコスト的に有利に製造することができる。
【００５２】
また、蓋本体は、複数個の硬質部が軟質部を介して折り畳み自在又は巻き込み自在に連結されてなり、且つ、硬質部において、撥水剤としてシリコーン樹脂が該硬質部の構成材料中に所定の含有率で練り込まれるとともに、軟質部において、撥水剤としてシリコーン樹脂が該軟質部の構成材料中に所定の含有率で練り込まれている場合には、水垢の発生やカビの繁殖を確実に抑制することができるし、蓋本体を安価に製造できるようになる。
【００５３】
また、撥水剤が蓋本体の外表面に塗布されている場合には、例えば、撥水剤を含んだ液を蓋本体の外表面にハケ塗りしたりスプレー塗りしたり、あるいは撥水剤を含んだ液中に蓋本体をディッピングしたりすることにより、所望する蓋本体を容易に得ることができる。
【００５４】
また、下面の両端部に滑り止め部材が設けられている場合には、風呂蓋の不本意な滑りを確実に防止することができる。
【００５５】
また、硬質部の端部に装着されたキャップの下面に、滑り止め部材が設けられている場合には、風呂蓋の不本意な滑りを確実に防止できることはもとより、キャップを硬質部の端部に装着することにより、滑り止め部材が風呂蓋に取り付けられるようになるため、滑り止め部材の取付け作業を別途、行う必要がなくなり、したがって風呂蓋を能率良く製作することができる。
【図面の簡単な説明】
【図１】この発明の第１実施形態の風呂蓋を示す要部分解斜視図である。
【図２】同風呂蓋の底面図である。
【図３】同風呂蓋の要部拡大底面図である。
【図４】図３中のIV−IV線断面図である。
【図５】この発明の第２実施形態の風呂蓋を示す、図４に対応する拡大断面図である。
【符号の説明】
A1、A2…風呂蓋
１…蓋本体
10…硬質部
20…軟質部
30…キャップ
33…延長舌片部
35…滑り止め部材
【図１】
0003683197.tif 000003
【図２】
0003683197.tif 000004
【図３】
0003683197.tif 000005
【図４】
0003683197.tif 000006
【図５】
0003683197.tif 000007